(57)【要約】【課題】この発明は、外面にシートを用いた大型広告器その他の表示物のシートを緊密確実に引張することを目的としたものである。【解決手段】この発明は、シートの上下端部を所定の湾曲度に沿って可動支持部材に支持させた後、該可動支持部材を調整しつつ移動させてシートを張設することを特徴としたシートによる曲面形成方法によりその目的を達成した。【選択図】　　　図１
2004029358.tif 000002
【特許請求の範囲】
【請求項１】
シートの上下端部を所定の湾曲度に沿って可動支持部材に支持させた後、該可動支持部材を調整しつつシートの引張方向へ移動させてシートを張設することを特徴としたシートによる曲面形成方法。
【請求項２】
可動支持部材の移動は、ボルトとナットの螺合により、ねじ調整することを特徴とした請求項１記載のシートによる曲面形成方法。
【請求項３】
骨格を構成する構造材の上下部へフレーム本体を固着し、前記上下部のフレーム本体の上方及び下方に、シート固定用の支持フレームを配置し、前記フレーム本体と支持フレームとの間へ支持フレームの離接手段を介装したことを特徴とするシートによる曲面設定装置。
【請求項４】
離接手段は、フレーム本体と、支持フレームに固定したナットへ共通の調整ボルトを螺合したことを特徴とする請求項３記載のシートによる曲面設定装置。
【請求項５】
フレーム本体と、シート端を固定する支持フレームの対向位置にナットを夫々固定し、該ナットに共通の調整ボルトを螺合したことを特徴とするシートの張設装置。
【発明の詳細な説明】
【０００１】
【発明の属する技術分野】
この発明は、シートを用いて立体的広告面その他の湾曲部を含む立体形状を形成するに際し、平滑で、変形し難い湾曲面などを形成することを目的としたシートによる曲面形成方法及び曲面設定装置並びにシートの張設装置に関する。
【０００２】
【従来の技術】
従来、シートによって大型看板等を造る場合には、骨格となる構造体の外側に、シートを固定するフレームを配置し、該フレームへシートを固定する際に、シートを張設している。
【０００３】
従来、フレームに張装される合成樹脂シート材からなる看板シートの端部に板材を固定し、ボルトとナットで板材を引張り、合成樹脂シート材を張装するようにした看板装置が知られている（特公平４−４４２７３号）。
【０００４】
【発明により解決しようとする課題】
前記フレームによるシートの張力は、シートの支持フレームサポートバー（以下同じ）のＵ字型部の深さによって限定されるおそれがあった。
【０００５】
従来シートを直線状に配置した場合には、概ね平滑面を成形できるけれども、湾曲面を構成する場合には、前記サポートバーにおけるＵ字型部の大きさでは引力不十分となり、往々しわを生じ平面性を害する問題点があった。
【０００６】
またシートによる広告面等を方形に作る場合には、比較的容易に形成できるが湾曲面はしわを生じ易い問題点があった。
【０００７】
【課題を解決するための手段】
この発明は、サポートバーによる引張力の他に、サポートバーを移動させることによる引張力を生成し、前記従来の問題点を解決したのである。
【０００８】
即ち、方法の発明は、シートの上下端部を所定の湾曲度に沿って可動支持部材に支持させた後、該可動支持部材を調整しつつシートの引張方向へ移動させてシートを張設することを特徴としたシートによる曲面形成方法であり、可動支持部材の移動は、ボルトとナットの螺合により、ねじ調整することを特徴としたシートによる曲面形成方法である。
【０００９】
次にシートの張設装置の発明は、骨格を構成する構造材の上下部へフレーム本体を固着し、前記上下部のフレーム本体の上方及び下方に、シート固定用の支持フレームを配置し、前記フレーム本体と支持フレームとの間へ支持フレームの離接手段を介装したことを特徴とするシートによる曲面設定装置であり、離接手段は、フレーム本体と、シート端を固定する支持フレームの対向位置にナットを夫々固定し、該ナットに共通の調整ボルトを螺合したことを特徴とするシートの張設装置である。
【００１０】
この発明におけるシートは合成樹脂透明シート（又は半透明シート）であって、従来公知のものを使用するが、シートの材質に限定されるものではない。
【００１１】
この発明のサポートバーは、例えばアルミ型材を使用するが、アルミ型材に限定されるものではない。
【００１２】
この発明においては、大型看板の構築に使用するが、看板に限定されることなく、大形湾曲スクリーン、簡易温室の外壁などの構築に応用することができる。
【００１３】
前記この発明におけるシートは、サポートバーを介し張設ボルトにより引張力が付与されている為に、しわを生じないことは勿論、常時引張力が掛かっている為に、外力に対し、保形性が大きく、通常の力（例えばポールが衝突する）に対しては、強力な弾性を以って対応し、外力を跳ね返すことができる。
【００１４】
即ち、シートの強度が許す限り、形状が復旧する能力を有し、風雨その他の外力に対しても、変形するおそれがなく、所定の形状を保持することができる。
【００１５】
また、シートと構造骨格との間の空間へ照明灯を設置できるので、シート上へ骨格の一部の影が生じたり映像を生じるおそれがない。
【００１６】
また、シートの外面は平滑面であるから、風雨による汚損が少なく、汚れた場合にも容易に洗除することができる。
【００１７】
【発明の実施の形態】
この発明は、湾曲したサポートバーで上下両端を所定の形状に固定した後、前記サポートバーを上下方向へ移動させ、シートの引張力を平均して増大することにより湾曲平滑面を形成するものである。
【００１８】
前記湾曲面を形成するに際し、湾曲したサポートバーに、シートの両端を固定してシートを張設した後、上下のサポート−バーの内側に設けた本体フレームと、前記サポートバーとの間に複数の張設ボルトを螺合し、前記張設ボルトの回転により、前記サポートバーを本体フレームに離接させ、これによりシートの張力を調整して広告面などの平滑面を構成したものである。
【００１９】
【実施例１】
この発明の実施例を図１、２、３について説明する。
【００２０】
骨格を構成する構造材として支柱１の上下部へ、フレーム本体２、２ａを水平方向に突接固定し、前記フレーム本体２、２ａの上方又は下方へシート３を支持するために一側を弧状にしたサポート−バー４、４ａを配置し、前記サポートバー４、４ａの外周部へシート３の端部の固定装置を設ける。前記固定装置１０は、断面Ｈ型のバー６であって、サポートバー４、４ａの部材（アングル）５へボルト７で固定すると共に、バー６の凹入部６ａにはシート３の押えバー８と、押えバー８をバー６へ固定するボルト９ａと、部材５へ固定するボルト９とにより構成されている。
【００２１】
図３の（ｂ）は、シート３の固定を示す拡大図である。図中２１はガムテープで、シート端を仮着している。
【００２２】
前記フレーム本体２、２ａと、サポートバー４、４ａとには、対向部に夫々ナット１１、１１がアングル１３、１３へ夫々固着（溶接）してあり、前記ナット１１、１１ａ共通のボルト１２を螺合してあり、ナット１１ａとボルト１２とは固着してある。
【００２３】
従って、ボルト１２を回転することにより、サポートバー４、４ａは、図１中矢示１５、１５ａ又は矢示１６、１６ａのように離接する。
【００２４】
そこで、サポート−バー４、４ａが矢示１６、１６ａの方向へ移動すればシートの引張力は大きくなり、矢示１５、１５ａの方向へ移動すれば、シートの引張力は小さくなる。前記において、作業者はシート３の状態を見ながらボルト１２を正回転又は逆回転して、シート３の引張力を調整する。
【００２５】
前記実施例は、シート３を上方のみならず下方にも引張って、外面を平滑に調整する。シートが特に長い場合（例えば５０ｃｍ以上５ｍ）には、シート３の端部を両方に引張らないと、しわを生じることが認められている。しわのできる正確な理由は不明であるが、シート３は多少伸びるので、取付け部近辺で調整しなければ引張力が不均等になるためと推定できる。
【００２６】
この発明の実施例は、シート３と構造材としての支柱１との間に照明灯１７を設置したので、シート３に支柱その他の構造材が映るおそれはない。図１中１８はスライドレール、１９はスライドレール取付けパイプ、２０は補強材である。
【００２７】
【実施例２】
この発明の他の実施例を図４、５、６、７について説明する。この実施例は、例えばカップを拡大した広告器３０である。
【００２８】
この実施例は、上下端の円形のサポートバー２２、２２ａにシート３４の上下端を固定し（実施例１と同様の固定構造）前記円形のサポートバー２２、２２ａの内側へフレーム本体２３、２３ａを配し、フレーム本体２３、２３ａを骨格フレーム２６に固定する。
【００２９】
前記サポートバー２２、２２ａと、フレーム本体２３、２３ａに夫々対向してナット１１、１１を固着し、このナットに共通のボルト１２、１２を螺合して、前記サポートバー２２、２２ａを離接自在に支持させて、広告器３０を構成した。図中２７はワッシャー、２８、２８ａは外装化粧カバー、２９は組込支柱、３１は本体支柱、３２はモータ、３３は照明灯である。
【００３０】
前記実施例１と同様に、サポートバー２２、２２ａをフレーム本体２３、２３ａと離接させ、シート３４にかかる引張力を調整することができる。
【００３１】
前記実施例によれば、シート３４と、骨格フレーム２６との間へ照明灯３３を縦に配置したので、シート３４に骨格フレーム２６が映るおそれがない。
【００３２】
前記組込支柱２９の上端部にはフレーム本体２３のボス筒３７が回転自在に嵌装され、前記ボス筒３７の外周にギヤー３５が設けられて、前記組込支柱２９に固定したモータ３２の小ギヤー３６と咬み合わせてある。
【００３３】
前記フレーム本体２３の上部には、前記のようにサポートバー２２が昇降自在に支持され、該サポートバー２２にシート３４の上端部が固定してある。そしてサポートバー２２には、外装化粧カバー２８が嵌装してあって、広告器３０の上端部を覆っている。
【００３４】
前記組込支柱２９の下部には、フレーム本体２３ａのボス筒３７ａが回転自在に嵌装され、前記フレーム本体２３ａの下部にサポートバー２２ａが昇降可能に遊嵌され、該サポートバー２２ａに、シート３４の下端部が固定してある。
【００３５】
従って、サポートバー２２ａを、フレーム本体２３ａに離接移動させることにより、シート３４の引張力を調整している。前記サポートバー２２ａの下部は、前記組込支柱２９に遊嵌した外装化粧カバー２８ａで覆ってある。
【００３６】
前記照明灯３３は、図４、５のように、補助フレーム３５、３５へ円周上へ所定間隔で、上下多数に縦設してある。
【００３７】
前記実施例は、例えば上端部直径５５００ｍｍ、高さ６０００ｍｍ下端部直径３８００ｍｍの超大型であるから、照明灯３３が切れたり、その他の故障に際しては、外装化粧カバー２８ａを外し、作業員が内へ入って修理、保全をすることができる。同様にシート３４の張替えも容易にすることができる。
【００３８】
【実施例３】
この発明の実施例を図８、９について説明する。この実施例は、組込支柱に、上下同径の円形サポートフレームを取付け、このサポートフレーム間にシートを張設し、円筒形の回転広告器を構成したものである。
【００３９】
即ち、組込支柱４０の上下部に円形のフレーム本体４１、４１ａを固定し、該フレーム本体４１、４１ａの上方及び下方にサポートフレーム４２、４２ａを配設し、前記フレーム本体４１、４１ａと、サポートフレーム４２、４２ａとをボルト４３、４３及びナット４４、４４ａで連結することにより、前記サポートフレーム４２、４２ａを、前記フレーム本体４１、４１ａに対して離接自在に取付けたものである。前記サポートフレーム４２、４２ａにはシート４５の上下端を実施例１と同様の方法で固定してある。
【００４０】
前記支柱４０には、放射杆４６、４６のボス４７、４７ａが嵌装し、放射杆４６、４６ａの外端はフレーム本体に固定されているので、フレーム本体４１、４１ａは組込支柱４０へ回転可能に取り付けてある。
【００４１】
前記放射杆４６、４６ａには構造材４８を介して環状材４９、４９が固定され、環状材４９、４９に照明灯５１、５１が縦に固定されて、この発明の広告器５０が構成されている。図中５２は基部支柱、５３は上部蓋、５４は底板、５５は点検孔である。
【００４２】
前記実施例において、モータ５６を始動すると、モータ軸のギヤー５７と、ボス４７のギヤー５８との咬み合いによってボス４７を回転し、これにより放射杆４６を介してフレーム本体４１及びサポートフレーム４６及び構造材を介して公告シート４５を回転させることができる。
【００４３】
前記シート４５は、ボルト４３とナット４４の螺合によりサポートフレーム４２、４２ａを矢示５６、５７の方向へ移動させて、シート４５を張設することができる。
【００４４】
【実施例４】
この発明の他の実施例を図１０、１１、１２、１３について説明する。
【００４５】
この実施例は、建造物の壁面へ直角に張出して設置する場合である。
【００４６】
即ち、所定間隔の両側のカバー６０、６０ａ間にフレーム構造体６１を介装し、該フレーム構造体６１の両端にフレーム本体６２、６２ａを固定し、該フレーム本体６２、６２ａの外側へサポートフレーム６３、６３ａを、ボルト６４とナット６５を介して離切可能に取付け、前記サポートフレーム６３、６３ａへ、シート６６の両端を固定して、この発明の広告器７０を構成した。
【００４７】
前記広告器７０を固定するには、ビルの壁面６７へ基礎匣６８をボルト６９で固定し、この基礎匣６８へ前記広告器７０の平面側７０ａを固定する。図中７１は照明灯である。
【００４８】
この実施例におけるシートの張設は、前記実施例１〜３と同様に、ボルトとナットの螺合により行う。
【００４９】
前記実施例においては、サポートフレーム６３、６３ａが弧状に湾曲しているために、シートは相似弧状を保って張設される。
【００５０】
【発明の効果】
この発明によれば、シートは両端を固定したサポートフレームの離接移動により引張られるので、均等に張力を受け、外形が弧状であったり、長大（例えば１０ｍ位）であっても、常時安定した張力を保ち、これにより広告器等の強度と外形を確実に保持できる効果がある。
【図面の簡単な説明】
【図１】この発明の実施例のサポートフレームの移動状況を示す一部を省略した一部拡大図。
【図２】同じく一部を省略した平面拡大図。
【図３】（ａ）　同じく外形を示す斜視図。
（ｂ）　同じくシートの固定を示す説明図。
【図４】同じく他の実施例の一部を省略した概念図。
【図５】同じく一部を省略した平面概念図。
【図６】同じく一部を省略した底面概念図。
【図７】同じく一部を省略した一部拡大図。
【図８】同じく他の実施例の一部を省略した斜視図。
【図９】（ａ）　同じくフレーム本体と、サポートフレームの関係を示す一部正面図。
（ｂ）　同じく回転駆動の概念図。
【図１０】同じく他の実施例の正面図。
【図１１】同じく構造体を示す一部を省略した正面図。
【図１２】同じく取付けの一例を示す拡大図。
【符号の説明】
１　支柱
２、２ａ　フレーム本体
３　シート
４、４ａ　サポートバー
５　部材
６　バー
７、９、１２　ボルト
８　押さえバー
１０　固定装置
１１　ナット
１２　ボルト
１７、３３、５１、５１　照明灯
２２、２２ａ　サポートバー
２３、２３ａ、４１、４１ａ　フレーム本体
２６　ナット
２７　ボルト
２９、４０　組込支柱
３０　広告器
３４　シート
４２、４２ａ　サポートフレーム
４８　構造材
５２　基部支柱
６１　フレーム構造体
６２、６２ａ　フレーム本体
６３、６３ａ　サポートフレーム
６６　シート
７０　広告器
【図１】
2004029358.tif 000003
【図２】
2004029358.tif 000004
【図３】
2004029358.tif 000005
【図４】
2004029358.tif 000006
【図５】
2004029358.tif 000007
【図６】
2004029358.tif 000008
【図７】
2004029358.tif 000009
【図８】
2004029358.tif 000010
【図９】
2004029358.tif 000011
【図１０】
2004029358.tif 000012
【図１１】
2004029358.tif 000013
【図１２】
2004029358.tif 000014